(57)【要約】      （修正有）【課題】プラットホームオーガから取外した掻込プレートを、刈取部に対し簡単に収納保持することができるコンバインの刈取部を提供する。【解決手段】刈取られた穀稈を、プラットホーム１１内で螺旋プレート３１を有するプラットホームオーガ１４の掻込回転によりオーガ後壁１１ｂに形成される取込口から搬送部を介して脱穀部に搬送供給する刈取部を備え、且つ刈取部のプラットホームオーガ１４の外周に、螺旋プレート３１によって取込口側に集合送りされる穀稈を、取込口内に向けて掻込送りをする掻込プレート３２を着脱自在に備える。プラットホームオーガ１４から取外した掻込プレート３２を、刈取部に対して設けた保持部材４０に収納自在に保持させる。【選択図】図７
2015084663.tif 000002
【特許請求の範囲】
【請求項１】
植立穀稈を左右のデバイダ(１２)によって分草し掻込リール(１６)で掻き込み刈刃(１３)によって刈取り、刈取られた穀稈をプラットホーム(１１)内で螺旋プレート(３１)を有するプラットホームオーガ(１４)の掻込回転によりオーガ後壁(１１ｂ)に形成される取込口(１１ｅ)に取込ませ、取込んだ穀稈を搬送部(１０)を介して脱穀部６に搬送供給する刈取部(９)を備え、且つ該刈取部(９)のプラットホームオーガ(１４)の外周に、螺旋プレート(３１)によって取込口(１１ｅ)側に集合送りされる穀稈を、取込口(１１ｅ)内に向けて掻込送りをする掻込プレート(３２)を着脱自在に備えるコンバインの刈取部において、
前記プラットホームオーガ(１４)から取外した掻込プレート(３２)を、刈取部(９)に対して設けた保持部材(４０)に収納自在に保持させることを特徴とするコンバインの刈取部。
【請求項２】
前記保持部材(４０)を、プラットホーム(１１)の後部に設ける請求項１記載のコンバインの刈取部。
【請求項３】
前記保持部材(４０)を、プラットホーム(１１)のオーガ後壁(１１ｂ)と搬送部１０のフィーダハウス(２０)とで形成されるコーナー状の空間スペース(Ｓ)に設ける請求項１又は２記載のコンバインの刈取部。
【請求項４】
前記保持部材(４０)を、掻込プレート(３２)を取付けるボルト孔(４１)を形成した板状の取付部材にすると共に、上記保持部材(４０)に取外したデバイダ(１２)を取付け自在に構成する請求項１又は２又は３記載のコンバインの刈取部。
【請求項５】
前記掻込プレート(３２)を、プラットホーム(１１)のオーガ側壁(１１ｃ)に設けた保持部材(４０)に取付けると共に、前記取外したデバイダ(１２)を、プラットホーム(１１)のオーガ後壁(１１ｂ)にコーナー状の空間スペース(Ｓ)に臨ませて取付ける請求項１又は２記載のコンバインの刈取部。
【発明の詳細な説明】
【技術分野】
【０００１】
本発明は、コンバインの刈取部に関する。
【背景技術】
【０００２】
従来、走行機体の前部に刈取部を昇降自在に設けると共に、後部の左右に脱穀部と操縦部とを配置する汎用型のコンバインは、植立穀稈を左右のデバイダによって分草し掻込リールで掻き込み刈刃によって刈取り、刈取られた穀稈をプラットホーム内で螺旋プレートを有するプラットホームオーガの掻込回転により、オーガ後壁に形成される取込口に取込ませ、取込んだ穀稈を搬送部を介して脱穀部に搬送供給し、脱穀部によって脱穀処理することにより一連のコンバイン作業を行うように構成されている(例えば、特許文献１)。
【先行技術文献】
【特許文献】
【０００３】
【特許文献１】特開２００９−２９７００１号公報
【発明の概要】
【発明が解決しようとする課題】
【０００４】
上記特許文献１で示されるコンバインは、稲の収穫を行なうときプラットホームオーガによって取込口に集合送りされる稲は、穂先が重く茎稈に水分を含んで柔らかく腰が弱いことから、螺旋プレート及びフィンガ等の掻込回転によって茎稈を屈折させて十分に解された状態となって取込口に集合するため、該取込口から搬送部のフィーダハウス内にスムーズに取込まれて、コンベアの掻揚げ後方送りによって脱穀部に連続的に供給することができる。一方、麦の収穫を行なうときは、麦は茎稈が硬くて腰が強いことから折れ難い茎稈特性であるため、解されないで立ち姿のまま集合して取込口の入口を塞ぐことになるので、この入口塞ぎ穀稈が順次送られてくる穀稈のスムーズな取込みを妨げると共に、この部で大きく滞留する穀稈が一挙に取込口に取込まれることによる穀稈詰まりを発生させ易い等の欠点がある。
そこで、従来上記のような汎用型のコンバインで麦を収穫する際の刈取部には、プラットホームオーガのドラムに立設された螺旋プレートの取込口に臨む終端位置に、集合する麦穀稈を強制的に解しながら取込口内に向けて掻込送りをさせる複数の掻込プレートを取付けてコンバイン作業を行なうことが一般的である。このため上記のようなコンバインによって麦収穫を行ったのち、稲を再度収穫する際には、上記掻込プレートはドラムから取外した状態でコンバイン作業が行われることになる。そこで、このとき取外しされた掻込プレート及びボルトとナット等は、操縦部内に一時的に保管したり工具箱内に入れて保管される。従って、次に時間が経過して使用する際には、その保管場所を失念して探す手間を要したり、掻込プレートやボルト等の部品を散逸し易いため、一連のコンバイン作業を非能率にする等の問題があった。
【課題を解決するための手段】
【０００５】
上記課題を解決するために本発明は、第１に、植立穀稈を左右のデバイダ１２によって分草し掻込リール１６で掻き込み刈刃１３によって刈取り、刈取られた穀稈をプラットホーム１１内で螺旋プレート３１を有するプラットホームオーガ１４の掻込回転によりオーガ後壁１１ｂに形成される取込口１１ｅに取込ませ、取込んだ穀稈を搬送部１０を介して脱穀部６に搬送供給する刈取部９を備え、且つ該刈取部９のプラットホームオーガ１４の外周に、螺旋プレート３１によって取込口１１ｅ側に集合送りされる穀稈を、取込口１１ｅ内に向けて掻込送りをする掻込プレート３２を着脱自在に備えるコンバインの刈取部において、
前記プラットホームオーガ１４から取外した掻込プレート３２を、刈取部９に対して設けた保持部材４０に収納自在に保持させることを特徴としている。
第２に、前記保持部材４０を、プラットホーム１１の後部に設けることを特徴としている。
第３に、前記保持部材４０を、プラットホーム１１のオーガ後壁１１ｂと搬送部１０のフィーダハウス２０とで形成されるコーナー状の空間スペースＳに設けることを特徴としている。
第４に、前記保持部材４０を掻込プレート３２を取付けるボルト孔４１を形成した板状の取付部材にすると共に、上記保持部材４０に取外したデバイダ１２を取付け自在に構成することを特徴としている。
第５に、前記掻込プレート３２を、プラットホーム１１のオーガ側壁１１ｃに設けた保持部材４０に取付けると共に、前記取外したデバイダ１２を、プラットホーム１１のオーガ後壁１１ｂにコーナー状の空間スペースＳに臨ませて取付けることを特徴としている。
【発明の効果】
【０００６】
請求項１の発明によれば、プラットホームオーガの外周に、螺旋プレートによって取込口側に集合送りされる穀稈を、取込口内に向けて掻込送りをする掻込プレートを着脱自在に備える刈取部において、前記プラットホームオーガの外周から取外した掻込プレートを、刈取部に対して設けた保持部材に収納自在に保持させることにより、プラットホームオーガから取外した掻込プレート及びボルト等を、本機側でなく刈取部に対し外観し易いプラットホームオーガに近い位置等に設けた保持部材に収納することができるため、掻込プレート及びボルト等の収納を速やかに行うことができると共に、掻込プレート及びボルト等の再取付け作業を部品の散逸を防止しながら能率よく行うことができる。
請求項２の発明によれば、前記保持部材を、プラットホームの後部に設けることにより、プラットホームオーガに対する掻込プレートの着脱作業と保持部材に対する着脱作業を、作業者は共に略同じ立ち姿の作業姿勢で行なうことができると共に、大きく移動することなく略その場で行うことができるため、掻込プレートの数毎に行なう交互着脱切換作業を部品の散逸も防止しながら行い易くすることができる。
請求項３の発明によれば、前記保持部材を、プラットホームのオーガ後壁と搬送部のフィーダハウスとで形成されるコーナー状の空間スペースに設けることにより、掻込プレートは空間スペースを有効利用して保持することができると共に、保持部材に保持された掻込プレートは、側方に大きく突出しないため邪魔になる等の影響なく収納することができる。
請求項４の発明によれば、前記保持部材を掻込プレートを取付けるボルト孔を形成した板状の取付部材にすると共に、上記保持部材に取外したデバイダを取付け自在に構成することにより、掻込プレートを取付ける保持部材をデバイダの保持部材として利用することができるので、デバイダやボルトの散逸を防止しながら部品数を増やすことなく簡潔で廉価なデバイダ収納構造にすることができる。また本機側でなく刈取部の特に空間スペース内に収納するようにしたデバイダは着脱作業性に優れると共に、側方に大きく突出せず他に影響なく収納することができる等の特徴がある。
請求項５の発明によれば、前記掻込プレートを、プラットホームのオーガ側壁に設けた保持部材に取付けると共に、前記取外したデバイダを、プラットホームのオーガ後壁にコーナー状の空間スペースに臨ませて取付けることにより、掻込プレートとデバイダは、プラットホームのオーガ側壁とオーガ後壁を利用して刈取部の後方に近接状態で個別に纏めて収納できるため、両者の収納構造を簡潔な構成にすることができると共に、それぞれの着脱作業を行い易くすることができる。またコーナー状の空間スペースに臨ませてオーガ後壁に収納されるデバイダは、オーガ側壁からはみ出すことなく保持されるので、人体や他物との接触を防止し荷積み作業や納屋等の格納場所での運転を行い易くすることができる等の特徴がある。
【図面の簡単な説明】
【０００７】
【図１】コンバインの側面図である。
【図２】図１の平面図である。
【図３】掻込プレート収納構造を備える刈取部の左側面図である。
【図４】プラットホームの構成を示す斜視図である。
【図５】プラットホームオーガの左側面図である。
【図６】掻込プレートをプラットホームオーガに着脱自在に取付ける構成を示す左側面図である。
【図７】掻込プレート収納構造を示す平面図である。
【図８】掻込プレート収納構造とデバイダ収納構造を備える刈取部の左側面図である。
【図９】掻込プレート収納構造とデバイダ収納構造を備える刈取部の後方斜視図である。
【発明を実施するための形態】
【０００８】
本発明の実施の形態を図面に基づいて説明する。図示する符号Ａは本発明に係る掻込プレート収納構造１を備えた汎用型のコンバインであり、このコンバインＡは、左右一対のクローラ式の走行部２ａを備える走行機体２に、右側の前部から操縦部３とエンジンが搭載される原動機部４と穀粒排出オーガ装置５ａを備えるグレンタンク５とを配設している。また走行機体２の左側には、スレッシャー型の脱穀部６を配設し、該脱穀部６の前方位置に刈取部９と搬送部１０等を昇降自在に支持し、刈取部９による作物の刈高さ調節を自在とするように設置している。
【０００９】
これにより圃場に植立する作物を刈取部９で刈取り、刈取った作物は搬送部１０を介し脱穀部６に搬送し、脱穀部６により脱穀選別された穀粒（精粒）をグレンタンク５に供給して貯留する。そして、貯留した穀粒は穀粒排出オーガ装置５ａから機外に排出して回収する。上記穀粒排出オーガ装置５ａは、グレンタンク５の後部に縦軸中心に回動自在に立設される縦螺旋筒体５ｂと、該縦螺旋筒体５ｂの上端側に中継筒体５ｃを介して上下揺動自在に連結した横螺旋筒体５ｄ等からなり、筒内部に一連に内装している螺旋体をエンジン側から変速駆動機構を介して回転駆動させるようにしている。尚、変速駆動機構は油量調節によって変速自在な油圧モータにすることが望ましいものであり、この場合には、上記油量調節操作用の操作スイッチを、操縦部３並びに地上操作用のリモコン機器に対して容易に設置することができる等の利点がある。
【００１０】
次に、刈取部９の構成について図１〜図７を参照し詳述する。この刈取部９は、刈取幅を有するプラットホーム１１の前端部に左右一対のデバイダ（分草具）１２を着脱自在に設けており、該デバイダ１２，１２間の後方位置に刈刃１３を設けると共に、該刈刃１３の後方に後述する構成からなるプラットホームオーガ１４を設け、プラットホーム１１の後端上部に左右一対のリール支持アーム１５の基端を取付け、且つ両リール支持アーム１５，１５間に収穫機用リールとしての掻込リール１６を回転自在に軸支している。また未刈地側となる左側のデバイダ１２の後方には、植立穀稈を側方に向けて傾倒案内するナローガイド１７を作用姿勢と格納姿勢とに切換自在に配設している。
【００１１】
上記プラットホーム１１はそのフレーム構造を、プラットホームオーガ１４の下方に沿って敷設されるオーガ底板１１ａと、その後方から上方に向けて立ち上がるオーガ後壁１１ｂと、該オーガ底板１１ａとオーガ後壁１１ｂとの両端を接続して立設されるオーガ側壁１１ｃとによって構成している。実施形態のプラットホーム１１は、左右のオーガ側壁１１ｃの各後端片とオーガ後壁１１ｂの左右側端を後方に向けて屈曲させた左屈曲片とを、ボルト又は溶着等の接合手段によって接合してリブ状の接合片部１１ｆを有するフレーム構造となしている。そして、左右のオーガ側壁１１ｃにプラットホームオーガ１４を駆動軸１４ａ(図５)を介して回転駆動自在に軸支している。
【００１２】
またオーガ後壁１１ｂは、左側寄りの中途部に搬送部１０に通ずる取込口１１ｅを開設しており、該取込口１１ｅを囲う位置の背後に搬送部１０の搬送路を形成するフィーダハウス１０ａの先端を一体的に接続している。これにより搬送部１０は、プラットホーム１１内でプラットホームオーガ１４によって集合送りされる穀稈を、取込口１１ｅから取込んで、取込んだ穀稈をフィーダハウス１０ａ内に沿って張設されるコンベア１０ｂを介して掻揚げ後方送りし脱穀部６に供給する。
【００１３】
また上記構成によるプラットホーム１１は平面視において、オーガ後壁１１ｂの左右側とフィーダハウス１０ａの左右側壁とにより、コーナー状をなす空間スペースＳを形成している。またオーガ後壁１１ｂの右側と操縦部３の前部との間には、刈取部９の昇降移動を許容する移動スペースを有している。そして、図示例のプラットホーム１１は、その左側後部並びに左側の空間スペースＳに対して、後述する掻込プレート３２を一時的に収納することができる掻込プレート収納構造１を構成していると共に、必要によって前記デバイダ１２を収納保管するデバイダ収納構造１ａを構成するようにしている。
【００１４】
掻込リール１６は、左右のリール外枠１６ａ，１６ａ間に複数のタイン１８を有するタイン取付バー１９を円周方向に掻き込み間隔を有して横設しており、下向き矢印方向（図１）に回転駆動することにより、植立穀稈を刈刃１３側に誘導しプラットホーム１１内に掻き込む。これにより刈取部９は、作物（穀稈）をリール１６によって掻き込みながら刈刃１３で刈取り、刈取った穀稈をプラットホームオーガ１４を介して搬送部１０内に取込み後方搬送をしてフィーダハウス１０ａの終端部から脱穀部６に供給する。
【００１５】
次に、図３〜図８を参照し前記掻込リール１６の下方左右に配設されるデバイダ１２ついて説明する。各デバイダ１２はプラットホーム１１の両端から前方に向けて突設されるデバイダ取付部材２０の先端に着脱自在に取付けられており、コンバイン作業時に植立穀稈を機体の前進走行にともない左右に仕分けて分草する。図示例のデバイダ１２は、従来のものと同様に、デバイダ本体１２ａと該デバイダ本体１２ａ内から後方に向けて突設される取付部１２ｂとからなる。デバイダ本体１２ａは、先鋭状の前部から後方に向けて末広がり状をなすように平面視で扇形状をなし、且つ側面視で前部から後方に向けて順次高くなるように傾斜させた分草斜面を形成している。また取付部１２ｂは縦板状の板面にボルト２１を挿入する複数（図示例では２個）の取付孔２２を上下方向に穿設している。
【００１６】
上記デバイダ取付部材２０は、先端に設けた縦板状の取付部２０ａに、上記ボルト２１を挿入する複数の取付孔２３を上下方向に穿設している。（図８）これによりデバイダ１２は、その取付部１２ｂをデバイダ取付部材２０の取付部２０ａに一側から重ねた状態で両者の取付孔２２と取付孔２３に各ボルト２１を挿入しナット掛け等の締着手段によって、デバイダ取付部材２０の先端に着脱自在に取付けることができる。尚、上記左右のデバイダ１２は前記左側の空間スペースＳにおいて、後述するデバイダ収納構造１ａによって収納保持するようにしている。
【００１７】
次に、図１〜図９を参照し前記プラットホームオーガ１４及び掻込プレート収納構造１ついて説明する。先ず、プラットホームオーガ１４は、図４〜図６に示すように前記駆動軸１４ａを介して矢印方向に掻込回転駆動自在に軸支される円筒状のドラム３０と、該ドラム３０内で軸支し穀稈を掻込むように出没自在に内装される複数のフィンガ３１ａ等からなる。上記ドラム３０は、ドラム外周面に左右端から螺旋方向を異にして取込口１１ｅ側に向けて穀稈を掻込送りをする左右の螺旋プレート３１を立設している。尚、上記フィンガ３１ａは、公知の構成によってドラム３０内で駆動軸１４ａの前方下方に変位させて固設されるフィンガ軸３１ｂに回動自在に軸支した状態で、先端側をドラム３０に穿設されるフィンガ孔にスライド自在に挿入している。これにより各フィンガ３１ａは、ドラム３０の回転に伴い前方及び下方側で大きく突出し、且つ後方及び上方側で短く突出して穀稈の掻込を行う。
【００１８】
またドラム３０の外周面には、前記左右の螺旋プレート３１の送り方向終端側に、穀稈を該取込口１１ｅに向けて強制的に掻込送りをする掻込プレート(掻込部材)３２を、取込口１１ｅの左右に対向する前方位置で１８０度の位相を設けて着脱自在に設置している。即ち、実施形態の掻込プレート３２は、図５，図６に示すように、ドラム３０の直径方向に対をなして対向する位置で左右の螺旋プレート３１に近接させて固設した側面視でＶ字状のアングル部材で形成した取付座３３に対し、複数(図示例では２個)のボルト３５とナット３５ａとによって着脱自在に取付けている。上記取付座３３は、先鋭状の屈曲部が回転方向下手となるように下辺をドラム３０に固設しており、後退角を有する上辺に２つのボルト孔３６を横方向に穿設している。
【００１９】
左右の掻込プレート３２は、方形状の平板を側面視で逆Ｚ状に屈曲した形状にしており、これにより前記取付座３３の上辺に重ねた状態でボルト孔３６に合致するボルト孔３７を穿設した下辺部３２ａと、該下辺部３２ａから直角状に立設した掻込片部３２ｂと、該掻込片部３２ｂから後方に向けて直角状に屈曲させた跳出片部３２ｃを形成し、取付け高さを螺旋プレート３１の高さと同等又はやや低くし、且つ長さ(幅)を取込口１１ｅの半分程度にしている。そして、図６に示すように各掻込プレート３２は、下辺部３２ａを取付座３３の上辺に重ね、両者を各ボルト孔３７とボルト孔３６にボルト３５を挿入しナット３５ａによって締着固定するようにしている。
【００２０】
これによりコンバインＡは、茎稈が硬く折れに難い麦等の穀稈を収穫する場合に、掻込プレート３２を装着したプラットホームオーガ１４が、左右の螺旋プレート３１及び各フィンガ３１ａによって穀稈を取込口１１ｅに向けてスムーズに集合送りをする。このとき取込口１１ｅの入口を略立姿で塞ぐように集合する穀稈(立塞ぎ穀稈)の中途に対し、取込口１１ｅに至る掻込プレート３２が掻込回転によって接当するため、当該穀稈を屈曲または粉砕しながら取込口１１ｅ内に強制的に入り込ませる。これにより立塞ぎ穀稈による取込口１１ｅの穀稈詰まりを生じさせることなく、穀稈を搬送部１０内にスムーズに取込ませ脱穀部６に連続的に供給する。
【００２１】
また掻込プレート３２は逆Ｚ形状にしているため、掻込片部３２ｂと跳出片部３２ｃとで形成される屈曲頂部が穀稈の中途部に強く接当して麦の茎稈を確実に屈曲又は切断粉砕すると共に、砕いた穀稈を跳出片部３２の後退傾斜面によって取込口１１ｅ内に向けて速やかに取り込ませることができる。そして、上記掻込プレート３２は、矢印方向の掻込回転により前方の上方から下方に回転移動するので、左右の螺旋プレート３１の終端間で前方からの刈取穀稈と側方から送られる集合穀稈とを共に砕きながら取込口１１ｅに向けて掻込送りをする。
【００２２】
一方、上記のように掻込プレート３２をプラットホームオーガ１４に装着した麦収穫作業仕様のコンバインＡを稲収穫作業仕様に切換えて稲を収穫する場合には、上記掻込プレート３２をボルト３５とナット３５ａを緩めて共に取付座３３から外した状態にして行う。即ち、この場合に水分が多く茎稈が柔らかい稲は、プラットホームオーガ１４によって取込口１１ｅに集合送りされる際に、螺旋プレート３１及びフィンガ３１ａ等の掻込回転によって茎稈が十分に屈折して解された状態になるため、取込口１１ｅを詰まらせることなく搬送部１０のフィーダハウス１０ａ内にスムーズに取込まれ、コンベア１０ｂの掻揚げ後方送りによって脱穀部６に連続的に供給される。
【００２３】
次に、図６〜図８を参照し掻込プレート収納構造１について詳述する。先ず、プラットホーム１１は、左側オーガ側壁１１ｃの後端片とオーガ後壁１１ｂの左側端を後方に向けて屈曲させた左屈曲片とを、ボルト又は溶着等の接合手段によって接合することにより、リブ状の接合片部１１ｆを有するフレーム構造にしている。そして、図示例の掻込プレート収納構造１は、上記接合片部１１ｆを利用し、その上下方向に沿って前記２つの掻込プレート３２を取付ける各対をなすボルト孔４１を穿設して保持部材４０にすることにより構成している。
【００２４】
上記構成による掻込プレート収納構造１によれば、保持部材４０をプラットホーム１１のフレーム構造を製作する際に形成される接合片部１１ｆを保持部材４０としているので、特別な取付部品(保持部材)を要することなくプラットホーム１１の後方の構造部材を利用し、掻込プレート収納構造１を簡潔で安価な構成にすることができる。これにより掻込プレート収納構造１は、掻込プレート３２を図７に実線と点線で示すように、接合片部１１ｆの内側又は外側の取付面を適宜選択して接当させた状態で、両者のボルト孔３７，４１にボルト３５を挿入し、次いでナット３５ａを掛けて締着することにより掻込プレート３２を安定よく取付保持することができる。
【００２５】
即ち、麦収穫作業から稲収穫作業を行うときは、プラットホームオーガ１４に取付けられている掻込プレート３２を、ボルト３５とナット３５ａと共に取付座３３から取外すと共に、図３，図７に示すように掻込プレート３２を、接合片部１１ｆの取付面に接当させた状態で両者のボルト孔３７，４１にボルト３５を挿入し、ナット３５ａを締付け取付けることにより簡単に収納保持することができる。
【００２６】
これによりコンバインＡは、掻込プレート３２を外したプラットホームオーガ１４が、稲穀稈の掻込送りをスムーズに行ない稲収穫を能率よく行う。また次に麦収穫作業を行なうときは、保持部材４０に保持している掻込プレート３２をボルト３５とナット３５ａを共に外したのち、該ボルト３５とナット３５ａとによって掻込プレート３２を取付座３３に取付けて、掻込プレート３２を装着したプラットホームオーガ１４が、麦穀稈の掻込送りをスムーズに行ない麦収穫を能率よく行う。
【００２７】
以上のように構成される掻込プレート収納構造１を備えたコンバインＡは、刈取部９に掻込プレート３２及びボルト３５とナット３５ａを収納自在に保持させる保持部材４０を設けていることにより、稲収穫作業を行うとき、ドラム３０から取外された掻込プレート３２及びボルト３５等を保持部材４０を介して簡単に収納することができる。このとき取外した掻込プレート３２は、プラットホームオーガ１４から離れた本機側でなく、刈取部９に対し外観し易いプラットホームオーガ１４の近傍位置に構成される掻込プレート収納構造１に対し、外したボルト３５とナット３５ａによって取付けるようにしているため、掻込プレート３２及びボルト等の収納箇所を敢えて探すことなく速やかに収納することができると共に、掻込プレート３２及びボルト等の部品の散逸を防止することができる。
【００２８】
また麦収穫作業への切換時において、収納場所を時間の経過等により失念していたとしても、この場所は容易に外観することができて認知できることから、掻込プレート３２の再取付け作業も能率よく行うことができる等の特徴がある。さらに、保持部材４０はプラットホーム１１の後部に設けることが望ましく、この場合には、プラットホームオーガ１４に対する掻込プレート３２の着脱作業と保持部材４０に対する着脱作業を、作業者は共に略同じ立ち姿の作業姿勢で行なうことができると共に、大きく移動することなく略その場で行うことができるため、掻込プレート３２の数毎に行なう交互着脱切換作業を部品の散逸も防止しながら行い易くすることができる等の特徴がある。
【００２９】
また保持部材４０を接合片部１１ｆに構成することができない構造である場合には、オーガ側壁１１ｃの後部側面の適所に対し、図７に点線で示すようにボルト孔４１を穿設することにより、この部を保持部材４０として掻込プレート収納構造１を簡単に構成することができる。即ち、この場合のボルト孔４１は、オーガ側壁１１ｃに対しドラム３０の側方を避けて該ドラム３０の後方上部に穿設することが望ましい。これにより掻込プレート３２の下辺部３２ａをオーガ側壁１１ｃの外側面に接当させて両者にボルト３５を挿入した状態で、プラットホーム１１の内部に手を差し込んで、当該ボルト３５に対しナット３５ａを掛けて締着することができるので、ドラム３０に支障されることなく容易に取付けることができる。
【００３０】
次に、掻込プレート収納構造１の別実施形態について図３，図７〜図９を参照し説明する。尚、前記実施形態のもと同様の構成及び作用については説明を省略する。この場合の掻込プレート収納構造１は、オーガ後壁１１ｂの左側後面に掻込プレート３２を着脱自在に収納するボルト孔４１を有する保持部材４０を突設することにより、掻込プレート３２を刈取部９の後方に形成される前記コーナー状をなす空間スペースＳを利用して外観し易く収納するようにしている。
【００３１】
即ち、図示例の保持部材４０は、長方形の板状体となし長辺部をオーガ後壁１１ｂの左側後面に縦向きにして突設し、その上下方向の取付面に沿って２つの掻込プレート３２を取付ける各対をなすボルト孔４１を穿設している。これにより図７に点線で示すように掻込プレート３２を、保持部材４０の取付面に接当させた状態で、両者にボルト３５を挿入しナット３５ａを締着することにより、前記実施形態のものと同様に取付けて収納することができる。従って、この掻込プレート収納構造１によれば、掻込プレート３２を保持部材４０を介して空間スペースＳ内に纏めて収納した状態で、外観し易く且つ着脱作業も容易に保持することができる。
【００３２】
そして、上記のように設ける保持部材４０は、後述する構成にすることにより、デバイダ１２を着脱自在に取付けるデバイダ収納用の保持部材としても兼用させることができる。この場合には図８，図９に示すように当該保持部材４０に対し、デバイダ取付用のボルト孔４２を穿設付加することによって構成する。これにより上記掻込プレート収納構造１の保持部材４０は、デバイダ１２を着脱自在に収納するデバイダ収納構造１ａを簡潔で廉価に構成することができ、図示する左側の空間スペースＳに対して、デバイダ１２を利便性を有して一時的に収納することができる。
【００３３】
即ち、図示例のデバイダ収納構造１ａは、保持部材４０に対し前記左右のデバイダ１２の取付部１２ｂに穿設される複数の取付孔２２と合致する複数（図示例では２個）の取付孔４３を、板状体の上下にそれぞれ前記後方向（横向き）に穿設することによって構成することができる。また上記保持部材４０は、オーガ後壁１１ｂの背面に対し、取付けられる左右のデバイダ１２がオーガ後壁１１ｂの側方及び上下方向から大きく突出しない位置に設けるようにする。
【００３４】
上記構成により、左右のデバイダ１２は、デバイダ取付部材２０に取付けられた分草作業状態から、ボルト２１を緩めて除去することにより、デバイダ取付部材２０の取付部２０ａから取外すことができる。そして図８，図９に示すように、外された左右のデバイダ１２は、各取付部１２ｂを保持部材４０の上下のボルト孔４２を選択し取付孔２２を合致させ、両者に対し取外しされたボルト２１を挿入して締着する。これにより左右のデバイダ１２は、保持部材４０に対し上下に振り分けた状態で取付けた収納姿勢で保持することができる。(図９)
【００３５】
従って、左右のデバイダ１２は収納姿勢において、前記適正位置に設置された保持部材４０に、互いの取付部１２ｂを上下方向に近接させて取付けられるため、空間スペースＳ内にコンパクトに纏めて取付けた収納姿勢になる。このとき上下のデバイダ１２の先端はオーガ後壁１１ｂの背後で、上下方向にはみ出したりフィーダハウス１０ａに接当することなく近接した位置に取付けられ、且つ他物との接触を防止するように収納される。さらに、空間スペースＳは側方が広く開放されていると共に、保持部材４０は地上から離間した適正高さ位置にあるため、デバイダ１２の取付け及び取外し等の着脱作業を能率よく簡単に行うことができる。
【００３６】
さらに、このデバイダ収納構造１ａは、デバイダ１２を保持するためのデバイダ保持用の保持部材４０をデバイダ取付部材２０の取付部１２ｂと同形状となして、デバイダ１２を同一のボルト２１によって着脱自在に取付けるようにしているため、簡単で廉価な構成にすることができると共に、ボルト２１の散逸を防止しながら、デバイダ１２のデバイダ取付部材２０と保持部材４０との択一的な着脱作業を能率よく行うことができる等の特徴がある。
【００３７】
またデバイダ１２を上記デバイダ収納構造１ａに保持したコンバインＡは、機体下部の全長がデバイダ１２の長さ分だけ短くなり、積載スペースを少なくすることができるので、生産工場からトラック積みやコンテナ積みをする際に、効率の高い積み込み作業を行いながら輸送することができる。また収納したデバイダ１２は、オーガ側壁１１ｃからはみ出すことなく保持されるので、人体や他物との接触を心配することなく、荷積み作業や納屋等の格納場所での運転を能率よく行うことができる。
【００３８】
そして、プラットホーム１１のオーガ後壁１１ｂと搬送部１０のフィーダハウス１０ａとで形成されるコーナー状の空間スペースＳにデバイダ収納構造１ａを設けたコンバインＡは、フィーダハウス１０ａ内の清掃や点検及び修理等のメンテナンス作業を行なう際に、例えばフィーダハウス１０ａの上側壁に設けられる蓋カバーを、作業者が側方又は該側方から上側壁に上り開けて行なうとき、収納状態にあるデバイダ１２に邪魔されることなくメンテナンス作業を行うことができる。
【００３９】
さらに上記構成によれば、掻込プレート３２をプラットホーム１１のオーガ側壁１１ｃに設けた保持部材４０に取付けると共に、前記取外したデバイダ１２をプラットホーム１１のオーガ後壁１１ｂにコーナー状の空間スペースＳに臨ませて取付けるようにしてもよく、この場合には掻込プレート３２とデバイダ１２は、プラットホーム１１のオーガ側壁１１ｃとオーガ後壁１１ｂを利用して刈取部９の後方に近接状態で個別に纏めて収納できるため、両者の収納構造を簡潔な構成にすることができ、またそれぞれの着脱作業を行い易くすることができる。また空間スペースＳに臨ませてオーガ後壁１１ｂに収納されるデバイダ１２は、前記したものと同様にオーガ側壁１１ｃからはみ出すことなく保持されるので、運転を行い易くすることができる等の特徴がある。
【００４０】
従って、コンバインＡの荷積み作業や路上走行をする際に、従来、デバイダ１２の先端に取付ける必要のあるバンパを省略でき割安な構成にでき、またデバイダ１２と人体との接触を懸念することなく、道路交通法で定められる安全な運転を行うことができる。尚、図示例では掻込プレート収納構造１及びデバイダ収納構造１ａを、刈取部９の左側に対し、掻込プレート３２及びデバイダ１２を纏めて収納するように構成したが、図９に示すように、オーガ後壁１１ｂの右側の背後に保持部材４０を設けて構成してもよいものである。また上記掻込プレート収納構造１及びデバイダ収納構造１ａは、前記設置位置に限定することなく、例えばフィーダハウス１０ａの側壁や底板の裏側或いは掻込リール１６の取付機構の後部等に設けてもよい。
【符号の説明】
【００４１】
Ａ  コンバイン
１  掻込プレート収納構造
１ａ  デバイダ収納構造
２  走行機体
６  脱穀部
９  刈取部
１０  搬送部
１０ａ  フィーダハウス
１１  プラットホーム
１１ｂ  オーガ後壁
１１ｅ  取込口
１２  デバイダ
１２ｂ  取付部
１３  刈刃
１４  プラットホームオーガ
１６  掻込リール
２０  デバイダ取付部材
２１  ボルト
３１  螺旋プレート
３２  掻込プレート
３５  ボルト
３５ａ  ナット
４０  保持部材(取付部材) 
４１  ボルト孔
Ｓ  空間スペース
【図１】
2015084663.tif 000003
【図２】
2015084663.tif 000004
【図３】
2015084663.tif 000005
【図４】
2015084663.tif 000006
【図５】
2015084663.tif 000007
【図６】
2015084663.tif 000008
【図７】
2015084663.tif 000009
【図８】
2015084663.tif 000010
【図９】
2015084663.tif 000011